(57)【要約】      （修正有）【課題】誰もが日常的に持つであろう入浴という心身を癒し、リラックスをする時に入浴したままの姿勢で浮力を利用し、使う人の体力、体型に合わせた運動強度の調整を水の動きを変えるだけで実現、水の中で無理のない多様なエクササイズを実現できる運動器具を提供する。【解決手段】浴槽に座位にて浸っている身体の両脇に流体機械であるポンプ機能を持つ棒状の器具を１本ずつ両側で２本立て、器具上部のハンドルを引き上げたり押し下げたりして、手や腕、肩などを中心としたエクササイズができる、また運動強度の調整は、器具に出入りする水の通り道である吸水口、排水口の大きさを変えることで簡単に実現でき、且つ排水口だけを閉じておくことで、任意の位置でハンドルを固定することができ、懸垂運動やぶら下がりなど身体に働く水の浮力で身体を自由にエクササイズできる、使う人の体力に関係なく利用できるものである。【選択図】図１
2018187321.tif 000002
【特許請求の範囲】
【請求項１】
入浴時、浴槽に身体を沈めた座位の姿勢で身体の両側面にポンプ機能を持つ筒状の器具を１本ずつ計２本を立てて配置し、器具上部のハンドルを持ち上げ水を吸い込み、又は、押し下げる事で水を排出する水の抵抗を利用し、腕、肘、肩などの各部位に多様な運動形態、作用をさせる事のできる水中運動器具。
【請求項２】
ハンドルを持ち上げると器具内に水が流入してくるが、吸い込み口には逆流防止弁が付いている為に水は戻らず、この時にあらかじめ排水口を閉めておく事で水は密閉される、水は非圧縮性流体と位置付けられこの特質からハンドルはほとんど下がる事はなく、これにより使用者の体格体型に合わせた任意の位置に安易に固定でき、ぶら下がり、懸垂などとした、多彩多様な運動形態ができる請求項１の水中運動器具。
【請求項３】
水を吸い込む吸水口と水を吐き出す排水口の面積を変化させ、水の流量を変える事でハンドルを動かす為の力が変わる、口が大きく広ければハンドルは軽く動き、口が小さく狭ければハンドルは重くなる、それにより人に合わせた千差万別で多彩な運動強度を簡単な構造で展開実現できる請求項１の水中運動器具。
【請求項４】
器具のハンドルは多種多様なエクササイズを可能にする為ハンドルを持ったまま、手首をひねる事ができる構造になっており、さらにハンドルを引き上げる時に器具が持ち上がらないように、器具下部には身体の下に挟み器具を安定させる固定プレートを付属する請求項１の水中運動器具。
【発明の詳細な説明】
【技術分野】
【０００１】  本発明は水を利用したエクササイズ器具に係るものである。
【背景技術】
【０００２】  従来から家庭でのエクササイズ用品としては、鉄アレイやダンベル、エキスパンダーや縄跳びなどがよく知られており、近年ではバランスボールといった比較的安価で誰にも使いやすい器具が親しまれている、しかし自然の重力の負荷やバネ、空気の反発などを利用しそれらの負荷が直接身体にかかる為、使う人に合わせた調整がしにくかった、そこで水の浮力を利用し、入浴時に軽いエクササイズを実施する器具も考案されている（例えば、特許文献１参照。）。又、浴室に設備、設置する物も考案されている（例えば、特許文献２参照。）しかしこれらの考案なども手軽にエクササイズという点では実用的ではなかった。
【先行技術文献】
【特許文献】
【０００３】
【特許文献１】特開２０００−２０１９９３号  公報
【０００４】
【特許文献２】特開２００６−２４７３３７号  公報
【発明の概要】
【発明が解決しようとする課題】
【０００５】  背景技術でも述べたように家庭用のエクササイズ用品の構造の簡単さから単調な運動の繰り返しで飽きられ長続きしないばかりか、使う人の体力、体格の違いもあり、さらには力の弱い女性、老人にはあまり必要なものではなかった、しかし多様で複雑な現代社会においては、身体のみならず心までが感じる疲労感の解消こそ急務となっており、家庭でのエクササイズを不可欠なものとし、心身とものリラックス時間である入浴時を利用するエクササイズ用品もあるが、家庭においては家族全員がエクササイズを目的とする訳ではないので大型の器具、又は浴室の改造は好ましくなかった。【０００６】  本発明は、背景技術の有するこの問題点に対してなされたものであり、その目的とするところは、誰もが日常的に持つであろう入浴という心身を癒し、リラックスをする時に入浴したままの姿勢で浮力を利用し、使う人の体力、体型に合わせた運動強度の調整を水の動きを変えるだけで実現、水の中で無理のない多様なエクササイズを実現できる運動器具を提供するものである。
【課題を解決するための手段】
【０００７】  入浴時、身体を浴槽に沈めた座位の姿勢の状態で身体の両側面にポンプ機能を持つ筒状の本発明における水中運動器具を１本ずつ計２本を立てて配置し器具の底部に付属しているプレートを身体の臀部辺りの下に敷き、器具が持ち上がらないように固定し、器具上部のハンドルを持ち上げるとダンベル運動、任意の位置で止めた時、排水口が閉じてあれば、水は密閉され非圧縮性流体として位置付けられる水の特質を利用して下がらず固定されたハンドルに捕まりぶら下がり運動もできるが、当然浮力が働くので身体の負担も少なく実施でき、更に排水口を開いた状態なら、ハンドルは自由に動き、下げれば懸垂運動もできる、この際ハンドルも手首が自由にねじれる構造になっているのでさらに多様なエクササイズができる。【０００８】  器具は、なるべく多くの様々な条件の人が使用できるようにハンドル持ち上げ時に水が入ってくる吸水口、ハンドル押し下げ時に水を排出する排出口それぞれの大きさを変化させる事が運動強度の変化に繋がる仕組みである、例えば口を大きくするとハンドルは軽く動き、小さくするとハンドルは重いというきわめてシンプルな構造にも関わらず、様々なエクササイズを水道の蛇口をひねるような簡単な操作で誰にでも使用できる構成となっている。
【発明の効果】
【０００９】  「請求項１」および「請求項２」、「請求項３」、「請求項４」、記載の水中運動器具においては、コンパクトで浴室の広さ、浴槽の大きさに影響されることなく、使用でき、使う人の合わせた運動強度の調整が水の流量を変えるだけというシンプルな構造から水道の蛇口をひねるような簡単な操作性を実現、しかしながら水を通したり、止めたり、多く流したり、少なく流したりの変化でダンベル、鉄棒を使用したような多様な運動もできると共に入浴時に使用という水の浮力も作用することから多くの人が身体に余分な負担をかけず、筋肉に複雑な作用をするトレーナーとして有用であると共に誰もが特別な場所、時間を設けることなく、入浴というごく普通な生活習慣の中で安易に実施できるメリットがある。
【図面の簡単な説明】
【００１０】
【図１】  本発明の水中運動器具を設置し、持ち上げ運動時の側面断面図である。
【図２】  水中運動器具のハンドルを任意の位置で止め、懸垂運動時の前面図である。
【図３】  本発明の水中運動器具の縮小全体図、及び各部分図である。
【符号の説明】１．  本体筒部
２．  ハンドル
３．  吸水弁及び開閉調整コック
４．  吸水口
５．  排水弁及び開閉調整コック
６．  排水口
７．  器具固定用プレート
８．  浴槽保護カバー
【発明を実施するための形態】
【００１１】  上記目的を達成するために、本発明における水中運動器具は軽量かつコンパクトではあるが入浴時の浴槽の中で使用するので衛生面、耐熱性などを考慮し入浴用品などによく使われるプラスチック素材、特にポリプロピレン樹脂などで形成するのがよく本体の外筒１の中に入るハンドル２の中柱部分は、水を密閉しながら上下にスライド運動をする部分であるから本体外筒１内面とハンドル２と一体の中柱との接点部分には、密閉性とスムーズな動きを得るためにＯリングを使う、さらに浴槽の底に接触する器具下部には浴槽を損傷することがないようにゴム質もしくはエラストマーなどの材質の保護カバー８．を装着し、引き上げ運動の時に器具の持ち上がり防止で身体の下もしくは臀部あたりの下に敷く器具固定用プレート７．は肌に密着しても違和感のない柔らかさと丈夫さを併せ持つＥＶＡ素材で形成するのが好ましい、運動強度の変化となる吸水調整コック３．排水調整コック５．は動きの滑らかなボールコックを使用し、コックを動かす感覚が直感的に運動強度を調整できる工夫がなされているので誰もがすぐにその人なりの多様なエクササイズができるのである。
【図１】
2018187321.tif 000003
【図２】
2018187321.tif 000004
【図３】
2018187321.tif 000005